(57)【特許請求の範囲】
【請求項１】
スクリーン枠の上下横方向枠のガイド部にガイドさせたところの開方向付勢力が付与された一対の可動框により、該スクリーン枠の左右に張設する一対のスクリーンの開閉を個別的に行うことができ、両可動框の衝合によりスクリーンを全張状態に保持できるようにした左右両引きのスクリーン装置において、
上記スクリーンの張設時に、上記上下横方向枠におけるそれぞれの可動框を張設状態に保持する部位に、各可動框を独立して個別的に保持可能な保持手段をそれぞれ設け、
上記保持手段が、上記ガイド部に設けた各可動框を衝合状態で係止させる切欠部と、各可動框の上下部に設けた上記切欠部に係止する係止縁部とを備え、上記スクリーンの開方向付勢力によって上記可動框が移動しないように上記係止縁部を上記切欠部に係止可能にし、
少なくとも上記切欠部を設けた部位では、各可動框をそれらのガイド走行姿勢から鉛直軸周りにおいて一定範囲で旋回可能に形成すると共に、
上記係止縁部を、各可動框のガイド走行姿勢に対し、スクリーン張設操作時の後端側を上記切欠部が設けられているガイド部側に振る傾斜姿勢において、上記切欠部に係止するものとし、
該切欠部と係止縁部との係止態様は、スクリーン面に対して垂直で該切欠部から係止縁部を離脱させる方向への可動框の押圧により離脱可能なものとした、
ことを特徴とするスクリーン装置。
【請求項２】
上記横方向枠が、スクリーン枠における左右の縦枠の上下端部においてそれぞれ連結される一対の横枠本体と、両横枠本体間に連結される上記切欠部が形成されたガイド部材とにより構成されている、
ことを特徴とする請求項１に記載のスクリーン装置。
【請求項３】
上記横方向枠がスクリーン側に開口する溝状に形成されていて、その開口の口縁に内向きに対向する一対の上記ガイド部を有し、可動框の両端部表裏面側または両端部表裏面のいずれか一方側に上記ガイド部に嵌合する一対のガイド溝を備え、上記係止縁部がこのガイド溝の溝底に形成されている、
ことを特徴とする請求項１に記載のスクリーン装置。
【請求項４】
スクリーンが巻取軸内に設けたスプリングの付勢力で該巻取軸に巻き取られるようにした巻取式であることを特徴とする請求項１乃至３のいずれかに記載のスクリーン装置。
【発明の詳細な説明】
【技術分野】
【０００１】
本発明は、スクリーン枠にガイドさせた一対の可動框により、該スクリーン枠の左右に張設する一対のスクリーンの開閉を個別的に行えるようにした左右両引きのスクリーン装置において、上記スクリーンを張設した状態で一対の可動框を独立して個別に上記スクリーン枠に保持させることができるようにしたものに関する。
【背景技術】
【０００２】
従来から、建物開口部に防虫や遮光、目隠し、断熱等のために設置され、スクリーン枠の上下横方向枠のガイド部にガイドさせたところの開方向付勢力が付与された一対の可動框により、該スクリーン枠の左右に張設する一対のスクリーンの開閉を個別的に行うようにした左右両引きのスクリーン装置において、一対のスクリーンを張設した状態で各スクリーンの可動框を上記スクリーン枠内で相互にロックする機構としては、両可動框間にマグネットを設けたり、あるいは掛け鈎等を用いたりしているが、それぞれに問題点もあり、一層の簡単化、操作性の改善が望まれている。
すなわち、上記のようなマグネットや掛け鈎を用いた左右両引きのスクリーン装置では、双方のスクリーンをスクリーン枠内に張設する場合に、一対の可動框の双方を衝合させないと該可動框を張設位置にロックすることができないため、可動框の片方のみをスクリーン枠の中央部において上下横方向枠に対して保持させておくことができず、特に当該スクリーン装置を幅が広い建物開口部に設置した場合には、一方のスクリーンは可動框を操作することで中央部まで張設できても、もう一方のスクリーンを張設するための可動框には手が届かないため、結果的に双方のスクリーンを張設状態とすることが困難になってしまうことが考えられる。
また、上記マグネット等で一対の可動框をロックする場合、各可動框に開方向付勢力を付与しておくと、片方のスクリーンのみを開放しようとしても、他方のスクリーンも上記付勢力で開放してしまうという問題もある。
【発明の開示】
【発明が解決しようとする課題】
【０００３】
本発明の技術的課題は、スクリーン枠にガイドさせた一対の可動框により左右のスクリーンの開閉を行うようにした左右両引きのスクリーン装置において、各可動框を上下横方向枠に対して独立して個別的に、しかも簡単な構成で容易に且つ安定的にロックすることができ、そのうえ、大きな力を掛けることなく容易に個別的にロックの解除を行うことができるスクリーン装置を提供することにある。
【課題を解決するための手段】
【０００４】
上記課題を解決するため、本発明は、スクリーン枠の上下横方向枠のガイド部にガイドさせたところの開方向付勢力が付与された一対の可動框により、該スクリーン枠の左右に張設する一対のスクリーンの開閉を個別的に行うことができ、両可動框の衝合によりスクリーンを全張状態に保持できるようにした左右両引きのスクリーン装置において、上記スクリーンの張設時に、上記上下横方向枠におけるそれぞれの可動框を張設状態に保持する部位に、各可動框を独立して個別的に保持可能な保持手段をそれぞれ設け、上記保持手段が、上記ガイド部に設けた各可動框を衝合状態で係止させる切欠部と、各可動框の上下部に設けた上記切欠部に係止する係止縁部とを備え、上記スクリーンの開方向付勢力によって上記可動框が移動しないように上記係止縁部を上記切欠部に係止可能にし、少なくとも上記切欠部を設けた部位では、各可動框をそれらのガイド走行姿勢から鉛直軸周りにおいて一定範囲で旋回可能に形成すると共に、上記係止縁部を、各可動框のガイド走行姿勢に対し、スクリーン張設操作時の後端側を上記切欠部が設けられているガイド部側に振る傾斜姿勢において、上記切欠部に係止するものとし、該切欠部と係止縁部との係止態様は、スクリーン面に対して垂直で該切欠部から係止縁部を離脱させる方向への可動框の押圧により離脱可能なものとしたことを特徴とするものである。
【０００６】
上記スクリーン装置においては、上記横方向枠を、スクリーン枠における左右の縦枠の上下端部においてそれぞれ連結される一対の横枠本体と、両横枠本体間に連結される上記切欠部が形成されたガイド部材とにより構成することができる。
この場合、上記横方向枠がスクリーン側に開口する溝状に形成されていて、その開口の口縁に内向きに対向する一対の上記ガイド部を有し、可動框の両端部表裏側に上記ガイド部に嵌合する一対のガイド溝を備え、上記係止縁部がこのガイド溝の溝底に形成される。
上記構成を有するスクリーン装置は、スクリーンが巻取軸内に設けたスプリングの付勢力で該巻取軸に巻き取られるようにした巻取式であるのが望ましいが、それに限るものではない。
【発明の効果】
【０００７】
以上に詳述した本発明のスクリーン装置によれば、スクリーン枠にガイドさせた一対の可動框によりそれぞれのスクリーンの開閉を個別的に行うようにした左右両引きのスクリーン装置において、各可動框を上下横方向枠に対して独立して個別的に、しかも簡単な構成で容易に且つ安定的にロックすることができ、そのうえ、大きな力を掛けることなく容易にロックの解除を行うことができるスクリーン装置を提供することができる。
【発明を実施するための最良の形態】
【０００８】
以下に、本発明の実施の形態を、図面に基づいて詳細に説明する。
図面は、本発明に係るスクリーン装置の第１実施例を示している。このスクリーン装置は、図１に示すように、一対のスクリーン１０Ａ，１０Ｂを、スクリーン枠１における左右の縦枠２Ａ，２Ｂと、そのそれぞれに対応する可動框１１Ａ，１１Ｂとの間に設け、両可動框によりそれぞれのスクリーン１０Ａ，１０Ｂの開閉を独立して個別的に行い、中央部での上記両可動框１１Ａ，１１Ｂの衝合により、両スクリーン１０Ａ，１０Ｂを全張設状態に保持するようにした左右両引きのスクリーン装置として構成したものである。
なお、本実施例のスクリーン装置は、左右のスクリーン１０Ａ，１０Ｂを開閉するための基本的な構成が、該スクリーン装置の中央の鉛直線を軸としてほぼ線対称の位置関係にあるから、以下の説明においては、特に必要である場合を除いて、図１において左側のスクリーン１０Ａに関連する構成について説明し、右側のスクリーン１０Ｂに関連する構成については、適宜補助符号「Ａ」を「Ｂ」に読み替えるものとして、それらの説明を省略する。
【０００９】
このスクリーン装置におけるスクリーン枠１は、図１に明瞭に示すように、左右の縦枠２Ａ，２Ｂと上下の横方向枠４，５とを備えている。上記縦枠２Ａ，２Ｂは、内部にそれぞれスクリーン１０Ａ，１０Ｂを巻き取るための巻取軸１３Ａ，１３Ｂを備えた巻取りボックスとして構成されている。
上記各巻取りボックス内の巻取機構は、巻取軸１３Ａ，１３Ｂ内に設けたスプリング１４Ａ，１４Ｂの付勢力でそれぞれのスクリーン１０Ａ，１０Ｂを各巻取軸１３Ａ，１３Ｂに巻き取るようにしたものであるが、本発明は、上記巻取機構を備えた巻取式のスクリーン装置に限るものではなく、開方向付勢力が付与された可動框により、該スクリーン枠１に張設するスクリーンの開閉を横引きで行う任意スクリーン装置に適用することができる。
【００１０】
一方、上記横方向枠４，５は、スクリーン１０Ａ，１０Ｂの側端（図１における上下端）をガイドするもので、図３に示すように、該スクリーン１０Ａ，１０Ｂ側において開口する溝状の型材からなり、それらの開口の口縁に内向きに対向する各一対のガイド部４ａ及び５ａが形成されており、上記巻取ボックスを構成する縦枠２Ａに対しては、それぞれ該巻取ボックスの端蓋２ａ，２ｂを介して連結されている。そして、上記横方向枠４，５の開口の両側のガイド部４ａ，５ａ間は、上記可動框１１Ａの両端に設けた各一対の転輪９の転動面としている。
また、可動框１１Ａの両端部表裏面側には、図３に示すように、上記横方向枠４，５のガイド部４ａ，５ａが両側から嵌入する一対のガイド溝１７Ａを備え、これらのガイド溝１７Ａに対する上記ガイド部４ａ，５ａの嵌入により、上記スクリーン１０Ａの一端を保持する可動框１１Ａの上下端をガイドするように構成している。
【００１１】
上記スクリーン１０Ａの側端を保持してガイドするため、図１及び図３に示すように、該スクリーン１０Ａの両側端には先端に多数の係止片１８ａを列設状態で取り付けた係合部材１８を設け、一方、横方向枠４，５内には、摺動性のよい合成樹脂からなり、上記係合部材１８の係止片１８ａを係合させるスリット２０ａを設けた側端係止部材２０を、その両側に突出する凸板２０ｂが横方向枠４，５の内溝４ｄ，５ｄ内において移動可能な範囲内において遊動自在に嵌挿している。上記スクリーン１０Ａの側端に取り付ける係合部材１８は、汎用のファスナーの半体またはそれと同様な構造を有する素材を利用することができる。
【００１２】
各スクリーン１０Ａ，１０Ｂの張設を個別的に行うに当り、上記スクリーン枠１におけるスクリーンの張設時にそれぞれの可動框１１Ａ，１１Ｂを保持させる部位に、各可動框を独立して個別的にロックできるようにするため、上下横方向枠４，５には、図２及び図４に示すように、スクリーン１０Ａ，１０Ｂが張設状態にあるときに可動框１１Ａ，１１Ｂが位置する部位のガイド部４ａ，５ａに、各可動框１１Ａ，１１Ｂを係止させるための一対の切欠部２５Ａ，２５Ｂにより形成される係止部がそれぞれ設けてられている。さらに具体的には、上記ガイド部４ａ，５ａにおける切欠部２５Ａ，２５Ｂの設置部位は、衝合状態にある両可動框１１Ａ，１１Ｂの各後端側に近接するところの、それらの可動框１１Ａ，１１Ｂの衝合面１１ａ，１１ａの中央を対称の中心とした点対称をなす部位である。
【００１３】
上記切欠部２５Ａは、可動框１１Ａの上下部における一対のガイド溝１７Ａの溝底に形成した係止縁部２６Ａを係止させるためのものであり、そのため、少なくとも上記ガイド部４ａ及び５ａにおける切欠部２５Ａを設けた部位では、該切欠部２５Ａ自体の形状を考慮することにより、可動框１１Ａを通常のガイド走行姿勢から鉛直軸周りにおいて一定範囲で旋回可能に形成し、即ち、該可動框１１Ａの上記ガイド走行姿勢から、スクリーン張設操作時の後端側を上記切欠部２５Ａが設けられているガイド部側に振る傾斜姿勢をとれるように形成し、その傾斜姿勢で係止縁部２６Ａを切欠部２５Ａに係合可能に形成している。
上記切欠部２５Ａと係止縁部２６Ａとの係止態様は、複雑な鈎状部材の係止ではなく、操作者が可動框１１Ａの一部を押圧または引張することにより、即ち、スクリーン面に対して垂直で上記切欠部２５Ａから係止縁部２６Ａを離脱させる方向へ可動框１１Ａを押圧または引張することにより離脱可能なものとして構成される。
【００１４】
図示した実施例では、上記切欠部２５Ａ，２５Ｂを、それぞれの可動框１１Ａ，１１Ｂの衝合面１１ａ，１１ａの中央を中心とした点対称をなす部位のガイド部４ａ，５ａに設けているが、図５に実線で示すように、横方向枠４，５における開口の片側のガイド部４ａ，５ａのみに相互に連なる切欠部２５Ａ，２５Ｂを設けて、各可動框１１Ａ，１１Ｂを片側に偏倚させた状態で係止縁部２６Ａ，２６Ｂを上記切欠部２５Ａ，２５Ｂに係止させる構成や、あるいは、図５に鎖線で追加して示すように、横方向枠４，５における開口の反対側のガイド部にも対称形状の切欠部２５Ａ，２５Ｂを設け、各可動框１１Ａ，１１Ｂの上下部における一対のガイド溝１７Ａ，１７Ｂの溝底の表裏側に形成した係止縁部２６Ａ，２６Ｂのいずれかを上記切欠部２５Ａ，２５Ｂの一方に係止させることもできる。
【００１５】
上記構成を有するスクリーン装置において、双方のスクリーン１０Ａ，１０Ｂをスクリーン枠１内に張設する場合には、先ず、一方の可動框１１Ｂを個別的に操作することによりスクリーン１０Ｂを張設操作する。その場合に、図２に示すように、可動框１１Ｂの框本体１２Ｂの操作部１２ｂを手で押圧してスクリーン１０Ｂを張設しようとすると、可動框１１Ｂはガイド走行姿勢をとりながらも、その押圧力に基づいて図の矢印Ｘ方向の回転傾向が付与され、スクリーン１０Ｂを張設して可動框１１Ｂの係止縁部２６Ｂをガイド部４ａ，５ａの切欠部２５Ｂに係止させる段階では、可動框１１Ｂがその回転傾向によって後端側の係止縁部２６Ｂを切欠部２５Ｂが設けられている手前のガイド部４ａ，５ａ側に振る傾斜姿勢をとるので、該係止縁部２６Ｂをほぼ自動的に切欠部２５Ｂに係止させ、可動框１１Ｂをスクリーン１０Ｂの張設位置で独立して個別的にロックすることができる。
次いで、他方の可動框１１Ａの張設操作によりスクリーン１０Ａを張設するが、上記一方の可動框１１Ｂは既にガイド部４ａ，５ａにロックされているので、他方の可動框１１Ａによるスクリーン１０Ａの張設操作時において上記可動框１１Ｂを把持している必要はなく、上記可動框１１Ａで可動框１１Ｂと同様の張設操作をすることによりスクリーン１０Ａを張設することができると共に、該可動框１１Ａの係止縁部２６Ａを切欠部２５Ａに係止させ、該可動框１１Ａをスクリーン１０Ａの張設位置で独立して個別的にロックすることができる。
【００１６】
なお、両スクリーン１０Ａ，１０Ｂをスクリーン枠１内に張設した上記可動框１１Ａ，１１Ｂの衝合状態においては、両可動框１１Ａ，１１Ｂは、図４からわかるように、該可動框の衝合面１１ａ，１１ａの中央を中心とした点対称をなす位置関係で衝合されたうえで、上下横方向枠４，５に対して傾斜姿勢をなした状態でロックされることになる。
このようにして、各可動框１１Ａ，１１Ｂを上下横方向枠４，５に対して独立して個別的に双方のスクリーン１０Ａ，１０Ｂをスクリーン枠１内に張設することができる。
而して、上記可動框１１Ａ，１１Ｂのロック状態においては、各可動框１１Ａ，１１Ｂに対してそれぞれスクリーン１０Ａ，１０Ｂの巻取軸１３Ａ，１３Ｂ内のスプリング１４Ａ，１４Ｂによる開方向付勢力がスクリーンを介して作用していて、その付勢力に係止縁部２６Ａ，２６Ｂを切欠部２５Ａ，２５Ｂから離脱させる方向の分力が存在せず、図４からわかるように、むしろ、傾斜姿勢をとる両可動框１１Ａ，１１Ｂを一層傾斜させる方向の力が作用するので、各係止縁部２６Ａ，２６Ｂが簡単に切欠部２５Ａ，２５Ｂから離脱するようなことはない。
【００１７】
また、これらの可動框１１Ａ，１１Ｂのロック状態からそれらのロックを解除してスクリーン１０Ａ，１０Ｂを巻き取る場合には、衝合状態にある可動框１１Ａ，１１Ｂを全体的に軽く押圧又は引張することにより、各可動框１１Ａ，１１Ｂの上下端部の係止縁部２６Ａ，２６Ｂをガイド部４ａ，５ａの切欠部２５Ａ，２５Ｂから選択的に離脱させることができ、それによってスクリーン１０Ａ，１０Ｂのいずれか一方のみを選択的に収納状態に戻すことができる。
一方、衝合状態にある可動框１１Ａ，１１Ｂを、それらの衝合面１１ａ，１１ａの中央において係止縁部２６Ａ，２６Ｂが切欠部２５Ａ，２５Ｂから離脱する方向に個別的に回転させると、双方の可動框１１Ａ，１１Ｂの上下端部の係止縁部２６Ａ，２６Ｂをガイド部４ａ，５ａの切欠部２５Ａ，２５Ｂから離脱させることができ、それによってスクリーン１０Ａ，１０Ｂの双方を収納状態に戻すことができる。
【００１８】
このように、左右両引きのスクリーン装置における各可動框を上下横方向枠に対して独立して個別的にロックすることができ、しかも、可動框のロック機構として、可動框とスクリーン枠における受け枠との間にマグネットや、掛け鈎のみを用いる従来のスクリーン装置に比して、構成が著しく簡単化され、ロックのための操作性が改善され、容易に可動框のロックやその解除を行うことができる。
【００１９】
次に、図６は本発明に係るスクリーン装置の第２実施例を示している。このスクリーン装置は、主たる構成は前記第１実施例と同様であるが、上記スクリーン枠１を構成する上下横方向枠４，５を、上記縦枠２Ａ，２Ｂの上下端部においてそれぞれ連結される各一対の横枠本体４Ａ，４Ｂ及び５Ａ，５Ｂと、それらの横枠本体４Ａ，４Ｂ及び５Ａ，５Ｂ間に連結されるガイド部材３０とにより構成されている。そして、該ガイド部材３０には、上記上下横方向枠４，５のガイド部４ａ，５ａに連なるガイド部４ｂ，５ｂが形成されており、該ガイド部４ｂ，５ｂに、上記可動框１１Ａの係止縁部２６Ａを係止させるための切欠部３５Ａ，３５Ｂが形成されている。このように構成すると、上記横枠本体４Ａ，４Ｂ及び５Ａ，５Ｂには既存の枠材を用いて、それらの横枠本体間にガイド部材３０を連結するだけで、全体として切欠部３５Ａ，３５Ｂを有する上下横方向枠４，５とすることができるので、上記切欠部を形成した長尺の上下横方向枠４，５を新たに製造する必要がなく、構成がより簡単化されるばかりでなく、製造コストの低廉化を図ることができる。
なお、この第２実施例のその他の構成及び作用は、実質的に前記第１実施例と同様であるから、同一部分又は相当部分に同一符号を付して、それらの説明を省略する。
【００２０】
ここで、上述した各実施例では、上下横方向枠のガイド部に設けた切欠部を、該上下横方向枠に対して各可動框を固定するための保持手段として構成しているが、可動框１１Ａ，１１Ｂ間に別途マグネット２８やそれに吸着される吸着板２９（図５参照）や掛け鈎等の固定手段を付設して、これらの切欠部は上下横方向枠に対する各可動框の仮留めのための保持手段とすることができる。
【図面の簡単な説明】
【００２１】
【図１】本発明に係るスクリーン装置の第１実施例を示す一部破断正面図である。
【図２】同実施例の一部破断平面図である。
【図３】図１のＡ−Ａ矢示側断面図である。
【図４】同実施例におけるガイド部の切欠部において各可動框をロックする状態を説明する要部拡大平面図である。
【図５】同実施例における別構成の切欠部において各可動框をロックする状態を説明する要部拡大平面図である。
【図６】本発明に係るスクリーン装置の第２実施例におけるガイド部材の切欠部において各可動框をロックする状態を説明する要部拡大平面図である。
【符号の説明】
【００２２】
１    スクリーン枠
２Ａ，２Ｂ  縦枠
４，５    横方向枠
４Ａ，４Ｂ，５Ａ，５Ｂ  横枠本体
４ａ，４ｂ，５ａ，５ｂ  ガイド部
１０Ａ，１０Ｂ  スクリーン
１１Ａ，１１Ｂ  可動框
１３Ａ，１３Ｂ    巻取軸
１４Ａ，１４Ｂ    スプリング
２５Ａ，２５Ｂ，３５Ａ，３５Ｂ  切欠部
２６Ａ，２６Ｂ  係止縁部
３０    ガイド部材
【図１】
0005511122.tif 000002
【図２】
0005511122.tif 000003
【図３】
0005511122.tif 000004
【図４】
0005511122.tif 000005
【図５】
0005511122.tif 000006
【図６】
0005511122.tif 000007